(57)【要約】      （修正有）【課題】既存の手動シャッターに取り付け、渋いシャッターを簡単に開閉でき、かつ手を傷つけたり、汚したりしないで済む補助具を提供する。【解決手段】全体の高さ３５ｃｍ、上部は長さ３０ｃｍの梃子捧でその上端には長さ１５ｃｍの筒状の取っ手がＴの字形に付けてあり、取っ手の両端には自由に回転するローラーが取り付けてある。梃子捧の下部にはシャッター引き上げ板が取り付けてあり、梃子捧の下端で引き上げ板は外側に４５度ほど曲げられ、そこから緩やかに円弧を画いて下方に向かい、約５ｃｍ下がったところで地面に対してほぼ垂直になるようにする。そこで引き上げ板はさらに内側に向かって９０度曲げられ、水平になっている。【選択図】図１
0003129803.tif 000002
【実用新案登録請求の範囲】
【請求項１】
全体の高さ３５ｃｍほどのもので、上部は長さ３０ｃｍ、直径１．５ｃｍ程の鋼管でできた梃子捧でその上端には長さ１５ｃｍぐらいの同様の鋼管の取っ手がＴの字形に付けてあり、取っ手の両端には取っ手の直径より少し太めの自由に回転するローラーが取り付けてあり、梃子捧が地面に対して垂直であると仮定した時、梃子捧は全体の２／３ぐらいの高さのところで３０度程外側に向かって折り曲げてあり、梃子捧の下部には扇を少し広げた形の厚さ３ｍｍ程の鋼板製のシャッター引き上げ板が取り付けてあり、梃子捧の下端でシャッター引き上げ板は外側に４５度程曲げられ、そこから緩やかに円弧を画いて下方に向かい約５ｃｍ下がったところで地面に対してほぼ垂直になるようにしてあり、そこでシャッター引き上げ板はさらに内側に向かって９０度程曲げられ、幅約１０ｃｍ、長さ約３ｃｍの水平部分になっており、その水平部分の先端は左右細長い部分を残して切り欠いてあり、その細長い部分は丸めて直径５ｍｍ程の鋼丸棒製の回転軸を巻き込んでおり、その回転軸を共有して、シャッター引き上げ板の反対側に厚さ３ｍｍ、幅１０ｃｍ、長さ６ｃｍ程の鋼板製で、シャッターの底板へ固定するための取り付け板がシャッター引き上げ板と同様の方法で回転軸を巻き込んで取り付けてあり、従ってシャッター引き上げ板と取り付け板は丁度蝶番のように自由に回動でき、取り付け板の先端はシャッターの底板を抱き込むように回転軸から約３ｃｍのところで上方に向かってＵの字形に１８０度程曲げてあり、その上部にシャッターの底板に固定するためのボルト穴が切ってあり、そのボルト穴にはダブルナットのボルトがねじ込んであり、また回転軸の中心部はバネが装着してあり、シャッターの底板にこの装置を取り付けたとき、バネの力で梃子捧がシャッターに押し付けられるようにしてあることを特徴とするシャッター開閉補助具。
【請求項２】
梃子捧の上方の折り曲げてある辺りに、シャッターとの密着性を高めるために、マグネットを取り付けてあることを特徴とする請求項１記載のシャッター開閉補助具。
【考案の詳細な説明】
【技術分野】
【０００１】  車庫等の手動シャッターを楽に開閉する補助具に関する。
【背景技術】
【０００２】  車庫等の手動シャッターが新しいうちは楽に開閉できるが、少し古くなると中のバネが変形したり、シャッターとガイドのすべりが悪くなったり、錆びたり諸々の原因で渋くなり開閉が困難になった。【０００３】  通常シャッターを持ち上げるための取っ手は６０ｃｍぐらいの高さのところに２個付いているが、手を入れる窪みはシャッターの厚みしかなく、浅すぎて充分に力が入れられなかった。【０００４】  シャッターを開ける折、最初動かし始めるきっかけは、特に力を入れなければならないが、シャッターが渋くなった折は、手が滑って爪を傷つけることがあった。【０００５】  また少し持ち上げた後、まだシャッターの動きが渋い場合はシャッターの底板に手を回し持ち上げることが往々にしてあったが、底板は地面に着いているので汚れており、手が汚れたりした。【０００６】  シャッターを閉める時は、上がっているシャッターの底板の中央の穴に、引っ掛け捧の曲がった部分を引っ掛けて下ろすのであるが、通常穴は小さく、特に暗い時などうまく穴に引っ掛けるのが困難なことがあった。【０００７】  またシャッターを引き下げる際、引っ掛け捧はシャッターがある程度下がってきた段階でシャッターから外さなければならなかった。
【考案の開示】
【考案が解決しようとする課題】
【０００８】  既存の手動シャッターに取り付け、渋いシャッターを簡単に開閉でき、かつ手を傷つけたり、汚したりしないで済む補助具を提供する。
【課題を解決するための手段】
【０００９】  本考案は上記問題に鑑みてなされたものであり、シャッターの底板に取り付ける補助具で、Ｔ字形の取っ手が地上３５ｃｍぐらいの高さにあり、その中間から下に伸びる梃子捧はシャッターの外に直立しており、その梃子捧の下部に取り付けてある金属製のシャッター引き上げ板がシャッターの底板の下に回りこみ、シャッターの内側の底板に取り付けてある取り付け板とバネ蝶番を介してつながっている。【００１０】  バネの力で梃子捧はシャッターに押し付けられている。梃子捧は上部で約３０度外側にくの字形に曲げられており、取っ手はシャッターから外側に離れている。取っ手の両端は端部にローラーが取り付けてある。【００１１】  シャッターを引き上げるには、まず取っ手を掴んで、梃子捧を手前に引き倒すと、それに取り付けてあるシャッター引き上げ板の角が支点になって、シャッター引き上げ板の先端が持ち上がり、シャッターを少し押し上げるようになり、シャッターを巻き上げるきっかけになる。その後取っ手を上に引き上げるとシャッターは楽に上がっていく。【００１２】  その折、開閉補助具から手を離しても構わなく、補助具はバネの力でシャッターに押し付けられる。シャッターがさらに上がって補助具の取っ手が軒下に突き当たると、補助具の梃子捧の上部が外側に曲がっていることと、取っ手の両端の端部ローラーにより梃子捧はスムーズに外側に押し倒されて、シャッターが最上部まで巻き取られた時、梃子捧は軒下でほぼ水平になって止まる。【００１３】  またシャッターを閉める際は引っ掛け捧を穴に引っ掛ける必要は無く、梃子捧の取っ手を持って下に引っぱれば良い。もし取っ手の位置が手の届かないほど高く上がってしまう場合は取っ手に手の届くだけの長さの紐を取り付けておけば良い。
【考案の効果】
【００１４】  以上述べてきたように、本考案の補助具を使えば少し古くなって渋くなった手動シャッターを、取っ手のみを掴んで楽に開閉できるようになり、手を汚したり、傷つけたりすることが無くなる。
【考案を実施するための最良の形態】
【００１５】  全体の高さ３５ｃｍぐらいのシャッター開閉補助具の上部は、長さ３０ｃｍ程の梃子捧でその上端には長さ１５ｃｍ程の取っ手がＴの字形に付けてあり、取っ手の両端には取っての直径より少し太めの自由に回転するローラーが取り付けてある。梃子捧が地面に対して垂直であると仮定した時、梃子捧は全体の２／３ぐらいの高さのところで３０度程外側に向かって折り曲げてある。【００１６】  梃子捧の下部には扇を少し広げた形のシャッター引き上げ板が取り付けてあり、梃子捧の下端で引き上げ板は外側に４５度ほど曲げられ、そこから緩やかに円弧を画いて下方に向かい約５ｃｍ下がったところで地面に対してほぼ垂直になるようにする。そこで引き上げ板はさらに内側に向かって９０度程曲げられ、水平になっている。水平部分の長さは約３ｃｍである。【００１７】  引き上げ板の水平部分の先端は左右細長い部分を残して切り欠いてあり、その細長い部分は丸めて回転軸を巻き込んでいる。その回転軸を共有して、引き上げ板の反対側にシャッターへの取り付け板が引き上げ板と同様の方法で回転軸を巻き込んで取り付けてある。従って引き上げ板と取り付け板は丁度蝶番のように自由に回動できる。【００１８】  取り付け板の先端はシャッター底板を抱き込むように上方に向かってＵ字形に１８０度ほど曲げてあり、上部にシャッターの底板に固定するためのボルト穴が切ってある。そのボルト穴にはダブルナットのボルトをねじ込んでおく。また回転軸の中心部はバネが装着してあり。シャッターの底板に取り付け板のボルトを締めて補助具を取り付けたとき、バネの力で梃子捧がシャッターに押し付けられるようにしてある。
【実施例１】
【００１９】  本考案のシャッター開閉補助具の実施例を図面に基づいて説明すると、図１は全体を示す斜視図で、シャッターに取り付けた場合のシャッター裏側から見た立ち姿である。シャッターは煩雑さを避けるため図示してない。全体の高さは３８ｃｍであり、取っ手１の長さは１４ｃｍ、梃子捧２は長さ３０ｃｍで、全体の２／３程の高さにある屈曲点３で外側に約３０度曲げてある。梃子捧、取っ手共直径１．５ｃｍの鋼管製である。【００２０】  梃子捧は下部でシャッター引き上げ板４に接続してある。図２に補助具をシャッターに取り付けてないフリーな状態での部分側面図が示してあるが、シャッター引き上げ板４は厚さ３ｍｍの丈夫な鋼板で、４−１の部分は各メーカーのシャッターに適合するように、大きく緩やかに曲げてあり、４−２の底部はシャッターの底板に接するように平らにしてある。底部は長さ３ｃｍ幅は９ｃｍである。【００２１】  シャッターの内側には同様材質の鋼板製の底板固定用金具５が固定ボルト・ナット６でシャッター内側底板に固定されるようになっているが、シャッター引き上げ板４と繋げるため底板固定用金具５の板の一部を細長く切り残した部分７とシャッター引き上げ板４の端の一部を細長く切り残した部分８を丸めて、両方とも直径５ｍｍの鋼丸棒製の回転軸９に巻き付け蝶番を形成している。【００２２】  また回転軸９の中心部分にはバネ１０が装着されており、バネの力でシャッター引き上げ板４ならびにそれに繋がっている梃子捧２をシャッター側に引きつけて、梃子捧２を直立させるよう働く。また取っ手両端には端部ローラー１１が取り付けてある。
【実施例２】
【００２３】  図３に示すように梃子捧２の屈曲点３あたりにマグネット取り付け台１２を取り付け、それにマグネット１３を嵌め込んであり、その他の仕様は実施例１と同様である。【００２４】  シャッターに取り付けて使用する折、梃子捧２はバネ１０によりシャッターに押し付けられるのであるが、若干隙間ができたりすると、風が吹いたときに、カタカタと音がする場合がある。シャッターと梃子捧との密着性を向上させるためにマグネット１３は効果的である。
【産業上の利用可能性】
【００２５】  以上述べてきたように本考案のシャッター開閉補助具を使えば、通常の手動シャッターの開閉はもちろん、渋くなった手動シャッターの開閉も楽に行えるようになり、シャッターの利便性を著しく向上させる。また取っ手の位置が地面より高いところにあるので汚れにくく手を汚さなくてすむ。
【図面の簡単な説明】
【００２６】
【図１】全体を示す斜視図。
【図２】下部のみ示す部分側面図
【図３】マグネット取り付け部の部分斜視図
【符号の説明】
【００２７】  １  取っ手
２  梃子捧
３  屈曲点
４  シャッター引き上げ板
５  底板固定用金具
６  固定ボルト・ナット
７  底板固定用金具の細長く切り残した部分
８  シャッター引き上げ板の細長く切り残した部分
９  回転軸
１０  バネ
１１  端部ローラー
１２  マグネット取り付け台
１３  マグネット
【図１】
0003129803.tif 000003
【図２】
0003129803.tif 000004
【図３】
0003129803.tif 000005